(57)【特許請求の範囲】
【請求項１】
地中に埋設しておき災害発生時に利用する災害用トイレであって、
屎尿の投入口、及び投入口を介して投入される屎尿を流す流路を有する流路コンクリートブロックと、
前記流路に連通し底版面が当該流路よりも低位置にある溜桝コンクリートブロックと
を連結しており、
前記投入口の上に設置される便器やテント等の物資を収納可能な収納空間を構成する倉庫コンクリートブロックをさらに連結した災害用トイレ。
【請求項２】
地中に埋設しておき災害発生時に利用する災害用トイレであって、
屎尿の投入口、及び投入口を介して投入される屎尿を流す流路を有する流路コンクリートブロックと、
前記流路に連通し底版面が当該流路よりも低位置にある溜桝コンクリートブロックと
を連結しており、
前記流路コンクリートブロックは、ボックスカルバートの頂版に投入口を形成し、かつ底版における投入口の直下の位置に凹溝を形成したものである災害用トイレ。
【請求項３】
地中に埋設しておき災害発生時に利用する災害用トイレであって、
屎尿の投入口、及び投入口を介して投入される屎尿を流す流路を有する流路コンクリートブロックと、
前記流路に連通し底版面が当該流路よりも低位置にある溜桝コンクリートブロックと
を連結しており、
前記溜桝コンクリートブロックに汲取口を形成しており、
前記汲取口の上に臭突を設置して当該汲取口を排気口として利用する災害用トイレ。
【請求項４】
開閉弁を介して前記流路に連通する貯水槽を構成する貯水槽コンクリートブロックをさらに連結した請求項１、２または３記載の災害用トイレ。
【請求項５】
前記凹溝に樹脂を塗布しまたは樹脂製の樋を装着している請求項２記載の災害用トイレ。
【請求項６】
前記底版における凹溝近傍の両側部を凹溝に向かって徐々に低くなるように傾斜させている請求項２または５記載の災害用トイレ。
【請求項７】
前記流路コンクリートブロックの側壁及び頂版の少なくとも一部に消臭用塗料を塗布している請求項２、５または６記載の災害用トイレ。
【請求項８】
一個の前記流路コンクリートブロックに複数の投入口と複数の凹溝とを形成している請求項２、５、６または７記載の災害用トイレ。
【請求項９】
前記溜桝コンクリートブロックに排気口を形成している請求項１または２記載の災害用トイレ。
【請求項１０】
前記溜桝コンクリートブロックに汲取口を形成しており、
前記汲取口の上に臭突を設置して当該汲取口を排気口として利用する請求項９記載の災害用トイレ。
【請求項１１】
請求項１、２、３、４、５、６、７、８、９または１０記載の災害用トイレを構築するために用いられるものであって、
頂版に屎尿の投入口を形成し、かつ底版における投入口の直下の位置に凹溝を形成したボックスカルバート。
【発明の詳細な説明】
【技術分野】
【０００１】
本発明は、避難場所等に予め敷設しておき、災害発生時に利用する災害用トイレに関する。
【背景技術】
【０００２】
災害用トイレは、災害が発生してから上下水道インフラストラクチャが復旧を見るまでの数日ないし一週間程度の期間使用される。この種の災害用トイレとして、下水本管に直結する硬化塩化ビニル管を埋設したもの（例えば、下記特許文献１を参照）や、ＦＰＲ便槽を埋設したもの（下記特許文献２を参照）が既知である。
【特許文献１】特開２００４−３３７３９７号公報
【特許文献２】特開平０７−１１３３４０号公報
【発明の開示】
【発明が解決しようとする課題】
【０００３】
前者の下水道直結流下式災害用トイレは、下水本管が破損してしまうと使用不能になる。また、後者のピット貯留式災害用トイレは、地震に伴う液状化現象等によりＦＰＲ便槽が地中から浮き上がってしまうことがあり、その浮上防止対策が不可欠となる。
【０００４】
しかも、両者ともに耐荷重が高くないため、大型車輌や重機類が通行する可能性のある道路下に敷設することは許されない。従って、植栽地等に敷設せざるを得ないが、その場合には車椅子の乗り入れ等に難を生ずる。
【０００５】
以上に鑑みてなされた本発明は、下水道管の破損等の影響を受けず、道路下への敷設も可能な、好適な災害用トイレを提供せんとするものである。
【課題を解決するための手段】
【０００６】
本発明に係る災害用トイレは、地中に埋設しておき災害発生時に利用するものであって、屎尿の投入口、及び投入口を介して投入される屎尿を流す流路を有する流路コンクリートブロックと、前記流路に連通し底版面が当該流路よりも低位置にある溜桝コンクリートブロックとをＰＣ鋼棒等を以て連結し、前記投入口の上に設置される便器やテント等の物資を収納可能な収納空間を構成する倉庫コンクリートブロックをさらに連結してなる。
【０００７】
このようなものであれば、投入口から投入される屎尿を溜桝に流して貯留しておくことができるので、下水道管の破損の影響を受けない。コンクリートブロックの連結体は、従来より共同溝、下水道や地下道等に採用されてきた構造であり、耐震性及び耐荷重性に優れ、道路下への敷設も問題ない。また、自重も大きく、地中から浮き上がってしまうおそれが小さい。また、前記投入口の上に設置される便器やテント等の物資を収納可能な収納空間を構成する倉庫コンクリートブロックをさらに連結してあれば、物資の置き場所に迷うことがなく、非常の際速やかに物資を取り出し使用に供することができる。
【０００８】
開閉弁を介して前記流路に連通する貯水槽を構成する貯水槽コンクリートブロックをさらに連結してあれば、貯水槽に貯蔵していた洗浄水を開閉弁から放流して屎尿を流すことができる。つまり、流路コンクリートブロック内の洗浄及び屎尿の溜桝コンクリートブロックへの収集を効率よく実行できる。
【００１０】
並びに、本発明に係る災害用トイレは、地中に埋設しておき災害発生時に利用するものであって、屎尿の投入口、及び投入口を介して投入される屎尿を流す流路を有する流路コンクリートブロックと、前記流路に連通し底版面が当該流路よりも低位置にある溜桝コンクリートブロックとを連結しており、前記流路コンクリートブロックが、ボックスカルバートの頂版に投入口を形成し、かつ底版における投入口の直下の位置に凹溝を形成して作製したものである。
【００１１】
前記凹溝に樹脂を塗布しまたは樹脂製の樋を装着していれば、凹溝の洗浄がより容易になる。
【００１２】
前記底版における凹溝近傍の両側部を凹溝に向かって徐々に低くなるように傾斜させていれば、屎尿を凹溝に集めることができ、凹溝経由で溜桝に押し流すのに都合がよい。
【００１３】
前記流路コンクリートブロックの側壁及び頂版の少なくとも一部に消臭用塗料を塗布していれば、臭気を緩和して利用者の不快感を軽減できる。
【００１４】
一個の前記流路コンクリートブロックに複数の投入口と複数の凹溝とを形成していれば、一個の流路コンクリートブロックあたり複数のトイレを設営可能であり、多人数での利用に適する。
【００１５】
並びに、本発明に係る災害用トイレは、地中に埋設しておき災害発生時に利用するものであって、屎尿の投入口、及び投入口を介して投入される屎尿を流す流路を有する流路コンクリートブロックと、前記流路に連通し底版面が当該流路よりも低位置にある溜桝コンクリートブロックとを連結しており、前記溜桝コンクリートブロックに汲取口を形成しており、前記汲取口の上に臭突を設置して当該汲取口を排気口として利用するものである。前記溜桝コンクリートブロックに排気口を形成していれば、排気ファンを設置して排気口から臭気を排気し、投入口から臭気が立ちのぼるのを抑えることができる。この排気口は、屎尿の汲取口を兼ねることができる。
【発明の効果】
【００１６】
本発明によれば、下水道管の破損等の影響を受けず、道路下への敷設も可能な、好適な災害用トイレを実現できる。
【発明を実施するための最良の形態】
【００１７】
以下、本発明の一実施形態を、図面を参照して説明する。本実施形態の災害用トイレを、図１ないし図６に示す。本災害用トイレは、プレキャストコンクリート製のボックスカルバート１０、２０、３０、４０を連結してなり、避難場所の植栽地や道路下等に予め埋設しておく。本災害用トイレは、流路コンクリートブロック１と、溜桝コンクリートブロック２と、貯水槽コンクリートブロック３と、倉庫コンクリートブロック４とを主たる要素とする。
【００１８】
流路コンクリートブロック１は、利用者が実際に用を足す場を構成する。流路コンクリートブロック１は、ボックスカルバート１０の頂版に屎尿の投入口１１を成形し、内空を屎尿の流路としたものである。流路コンクリートブロック１の底版面には、屎尿を溜桝２に向けて円滑に流すための凹溝１３を形成してある。
【００１９】
投入口１１は、ボックスカルバート１０の側壁寄りにあって、その鉛直下方に凹溝１３が位置している。投入口１１には金属製の蓋１２を設置し、平時には完全密閉する。蓋１２は、詳しくは図５に示しているように、筐体状の本体１２１にフラップ動作可能な扉１２２を枢着した部材である。本体１２１は、上面側では平面視略方形状に開口し、下面側では上面側よりも小形の孔となるように窄まった形で上下に貫通しており、扉１２２は上方からこの本体１２１を閉止する。なお、完全密閉蓋１２、２２、３２、４２を採用するのは、雨水や地下水が内部に侵入して溜まり使用時に支障を来すことを回避するためである。
【００２０】
図４及び図６に示しているように、凹溝１３は、ボックスカルバート１０、２０、３０、４０の連接方向（縦断方向）から見て略半円弧状をなし、連接方向に沿って延伸している。凹溝１３の内周には、硬質合成樹脂製の樋１４を装着する。この樋１４は、例えば塩化ビニル管を半割にして作製する。但し、樋１４を装着する替わりに、樹脂塗料を塗布してコーティングしてもよい。
【００２１】
底版における、凹溝１３近傍の両側部は、凹溝１３に向かって徐々に低くなるように傾斜している。即ち、連接方向から見て、底版面が凹溝１３を最下部中心としたすり鉢形状となっている。底版面には、樹脂塗料を塗布してコーティングする。
【００２２】
また、ボックスカルバート１０の両側壁の内側面の上半部及び頂版の略全面に、消臭効果のある空気触媒または吸着剤を添加した消臭用塗料を塗布する。
【００２３】
本実施形態では、複数個のボックスカルバート１０を連接して流路１を構築する。投入口１１及び凹溝１３は一個のボックスカルバート１０あたり複数、図示例では二箇所存在し、それらが連接方向と直交する幅方向（横断方向）に並列している。これにより、多人数が同時に利用可能なトイレとなる。
【００２４】
しかして、流路コンクリートブロック１を勾配をつけた状態で敷設し、その下流方に溜桝コンクリートブロック２を、上流方に貯水槽コンクリートブロック３をそれぞれ連接する。
【００２５】
溜桝コンクリートブロック２は、各投入口１１から投入され流路を流れてきた屎尿を貯留する。溜桝コンクリートブロック２は、ボックスカルバート２０の端面にプレキャストコンクリート製の妻板２３、２４を接合し、頂版に屎尿の汲取口２１を成形したものである。
【００２６】
本実施形態では、複数個のボックスカルバート２０を連接して溜桝の容積を拡張している。汲取口２１は、これらボックスカルバート２０に跨った平面視略丸孔状をなす。汲取口２１には金属製の蓋２２を設置し、平時には完全密閉する。この汲取口２１は、使用時には臭気を排気する排気口として機能する。
【００２７】
溜桝コンクリートブロック２の幅寸法は、流路コンクリートブロック１の幅寸法に略等しい。一方、溜桝コンクリートブロック２の上下寸法は、流路コンクリートブロック１の上下寸法よりも大きい。故に、溜桝コンクリートブロック２と流路コンクリートブロック１とを互いの頂版の高さを揃えて連接したときに、溜桝コンクリートブロック２の底版面が流路コンクリートブロック１の底版面よりも低位置となる。上流方の端面に接合した妻板２４は、溜桝コンクリートブロック２の底版と流路コンクリートブロック１の底版との間隙を閉塞する。
【００２８】
貯水槽コンクリートブロック３は、屎尿を溜桝２に向けて押し流し流路１を洗浄する洗浄水を貯蔵する。貯水槽コンクリートブロック３は、ボックスカルバート３０の端面に隔壁となる妻板３３、３５を接合し、頂版に洗浄水の補給口３１を成形したものである。
【００２９】
補給口３１は、平面視略丸孔状をなす。補給口３１には金属製の蓋３２を設置し、平時には完全密閉する。
【００３０】
貯水槽コンクリートブロック３の幅寸法及び上下寸法はそれぞれ、流路コンクリートブロック１の幅寸法、上下寸法に略等しい。
【００３１】
流路コンクリートブロック１に接合する側の隔壁３３には、開閉弁３４を設けている。開閉弁３４は、幅方向の位置が凹溝１３に略合致している。
【００３２】
倉庫コンクリートブロック４は、トイレの設営に必要な各種物資を収納するための収納空間を構成する。倉庫コンクリートブロック４は、ボックスカルバート４０の端面に妻板４３を接合し、頂版に物資の出入口４１を成形したものである。
【００３３】
本実施形態では、複数個のボックスカルバート４０を連接して倉庫の容積を拡張している。出入口４１は、これらボックスカルバート４０に跨った平面視略丸孔状をなす。出入口４１には金属製の蓋４２を設置し、平時には完全密閉する。
【００３４】
倉庫コンクリートブロック４の幅寸法及び上下寸法はそれぞれ、流路コンクリートブロック１の幅寸法、上下寸法に略等しい。
【００３５】
倉庫コンクリートブロック４は、貯水槽コンクリートブロック３に連接しているが、これ以外の場所、例えば溜桝コンクリートブロック２に連接しても構わない。
【００３６】
各コンクリートブロック１、２、３、４を連結するには、ボックスカルバート１０、２０、３０、４０及び妻板２３、２４、３３、３５、４３にＰＣ鋼棒等の緊張材５１、５２、５３を挿通または埋設しておき、これをジャッキで牽引し緊張力を付与して、ボックスカルバート１０、２０、３０、４０及び妻板２３、２４、３３、３５、４３を圧着せしめる。ボックスカルバート１０、２０、４０間、及びボックスカルバート１０、２０、３０、４０と妻板２３、２４、３３、３５、４３との間には、弾性に優れた樹脂目地、例えば水膨張ゴムを基材としたシール材等を施す。
【００３７】
本災害用トイレの使用に際しては、物資の出入口４１、屎尿の投入口１１、臭気の排気口２１を閉止している蓋４２、１２、２２を開き、倉庫４内に収納している便器（図示せず）、仮設テント（図示せず）、臭突６１及び排気ファン６２等を搬出する。そして、各投入口１１の上に便器を設置し、かつ各投入口１１の周囲にトイレのスペースを区画するテントを設立する。因みに、貯水槽３に隣接する最上流の投入口１１は、貯水槽コンクリートブロック３の頂版上面を利用してスペースを大きくとることができる。同様に、溜桝２に隣接する最下流の投入口１１も、溜桝コンクリートブロック２の頂版上面を利用してスペースを大きくとることができる。これらは、身体障害者優先用に割り当てるのがよい。
【００３８】
加えて、図１に示しているように、臭突６１及び排気ファン６２を、排気口２１の上に設置する。臭突６１及び排気ファン６２は、基底部に排気口２１の周縁形状に対応した蓋６３を備えているものである。蓋６３は設置時に排気口２１を概ね閉塞するが、蓋６３の一部に上下に貫通する孔（図示せず）を穿設してあり、この孔に臭突６１の下端部を嵌め込む等して溜桝２内と臭突６１とを連通する。排気ファン６２を分電盤、配電盤または発電機に接続して運転すれば、流路１及び溜桝２内の臭気が臭突６１を介して外部に排気される。
【００３９】
さらに、洗浄の必要に応じて貯水槽３の開閉弁３４を開放し、貯蔵していた洗浄水を流路１の上流から下流ひいては溜桝２に向けて放流する。
【００４０】
溜桝２に貯留した屎尿は、汲取口２１即ち排気口から汲み取る。このとき、臭突６１及び臭気ファン６２を蓋６３から取り外して蓋６３に穿設している孔を開放しこの孔から汲み取りを行ってもよいし、蓋６３を汲取口２１から取り外し汲取口２１を完全に開放して汲み取りを行ってもよい。
【００４１】
本実施形態の災害用トイレは、屎尿の投入口１１及び投入口１１を介して投入される屎尿を流す流路を有する流路コンクリートブロック１と、前記流路に連通し底版面が当該流路よりも低位置にある溜桝コンクリートブロック２とをＰＣ鋼棒５１、５２、５３等を以て連結してなり、投入口１１から投入される屎尿を溜桝２に流して貯留しておくことができるので、下水道管の破損の影響を受けない。コンクリートブロック１、２、３、４の連結体は、従来より共同溝、下水道や地下道等に採用されてきた構造であり、耐震性及び耐荷重性に優れ、道路下への敷設が可能である。また、自重も大きく、地中から浮き上がってしまうおそれが小さい。
【００４２】
開閉弁３４を介して前記流路に連通する貯水槽を構成する貯水槽コンクリートブロック３をさらに連結しているため、貯水槽に貯蔵していた洗浄水を開閉弁３４から放流して屎尿を流すことができる。従って、流路コンクリートブロック１内の洗浄及び屎尿の溜桝コンクリートブロック２への収集を効率よく実行できる。
【００４３】
前記投入口１１の上に設置される便器やテント、臭突６１や排気ファン６２等の物資を収納可能な収納空間を構成する倉庫コンクリートブロック４をさらに連結しているため、物資の置き場所に迷うことがなく、非常の際速やかに物資を取り出し使用に供することができる。
【００４４】
前記流路コンクリートブロック１は、ボックスカルバート１０の頂版に投入口１１を形成し、かつ底版における投入口１１の直下の位置に凹溝１３を形成して作製されるものであり、量産しやすい。
【００４５】
前記凹溝１３に樹脂を塗布しまたは樹脂製の樋１４を装着しているため、凹溝１３の洗浄が容易である。
【００４６】
前記底版における凹溝１３近傍の両側部を凹溝１３に向かって徐々に低くなるように傾斜させているため、屎尿を凹溝１３に集めることができ、凹溝１３経由で溜桝に押し流すのに都合がよい。
【００４７】
前記流路コンクリートブロック１の側壁及び頂版の少なくとも一部に消臭用塗料を塗布しているため、臭気を緩和して利用者の不快感を軽減できる。
【００４８】
一個の前記流路コンクリートブロック１に複数の投入口１１と複数の凹溝１３とを形成しているため、一個の流路コンクリートブロック１あたり複数のトイレを設営可能であり、多人数での利用に適する。
【００４９】
前記溜桝コンクリートブロック２に排気口２１を形成しているため、排気ファン６２を設置して排気口２１から臭気を排気し、投入口１１から臭気が立ちのぼるのを抑えることができる。排気口が屎尿の汲取口を兼ねるものとすれば、溜桝コンクリートブロック２に多数の孔を穿つ必要がなく、構造的強度が担保される。
【００５０】
なお、本発明は以上に詳述した実施形態に限られるものではない。各部の具体的構成は、本発明の趣旨を逸脱しない範囲で種々変形が可能である。
【図面の簡単な説明】
【００５１】
【図１】本発明の一実施形態の非常用トイレを示す斜視図。
【図２】同側断面図。
【図３】同平面図。
【図４】同正断面図。
【図５】投入口及び蓋を示す要部側断面図。
【図６】同実施形態の非常用トイレを示す背断面図。
【符号の説明】
【００５２】
１…流路コンクリートブロック
１１…屎尿の投入口
１３…凹溝
２…溜桝コンクリートブロック
２１…排気口
３…貯水槽コンクリートブロック
３４…開閉弁
４…倉庫コンクリートブロック
【図１】
0004494447.tif 000002
【図２】
0004494447.tif 000003
【図３】
0004494447.tif 000004
【図４】
0004494447.tif 000005
【図５】
0004494447.tif 000006
【図６】
0004494447.tif 000007